(57)【特許請求の範囲】
【請求項１】
複数個の成分混合体を電気泳動で同時に分離を行う電気泳動装置であって，
前記装置から分離可能でかつ取り外し可能であり複数個の溝を形成するトレイであって，前記溝のおのおのが等電点電気泳動媒体の細長いストリップと前記細長いストリップを浸すのに十分な液体とを保持する形状を有する前記トレイと，
前記トレイを予め定められた位置に保持するためのフレームと，
前記トレイのそれぞれの端部にまたはその近くに配置されるのに適合した１対の支持棒であって，各支持棒がそれから垂れ下がる複数の電極を支持し，前記溝が所定の位置にある時，各電極が前記トレイの溝と整合し，且つ溝の中に位置するように配置されており，前記電極は，前記トレイのそれぞれの端部に配置されている，前記１対の支持棒と，
一方の支持棒上の前記電極と他方の支持棒上の前記電極の間に電位を加える装置に接続するための導電性の接続装置と，
を有する電気泳動装置。
【請求項２】
請求項１に記載された電気泳動装置であって，前記溝の中に配置されかつ導線の１つの端部に配置された電気端子を有する電極を前記トレイが備え，それにより前記トレイが前記フレームの中に配置される時に前記端子がその中に配置されたプラグに接続されしたがって前記導線の間に電位を加えることができることを特徴とする電気泳動装置。
【請求項３】
請求項１と請求項２とのいずれかに記載された電気泳動装置であって，前記トレイを通して前記溝の温度制御ができるために前記トレイが熱伝達材料で作成されることを特徴とする電気泳動装置。
【請求項４】
請求項１から請求項３のいずれかに記載された電気泳動装置であって，前記トレイが６個から１８個の実質的に平行な溝を有することを特徴とする電気泳動装置。
【請求項５】
請求項１から請求項４のいずれかに記載された電気泳動装置であって，前記溝の長さが実質的に同じでありそしてその長さが６ｃｍから２０ｃｍであることを特徴とする電気泳動装置。
【請求項６】
複数個の成分混合体を電気泳動で同時に分離を行う電気泳動装置であって，
複数個の実質的に平行な溝を有しそして前記溝のおのおのが等電点電気泳動媒体の細長いストリップと前記細長いストリップを浸すのに十分な液体とを保持する形状を有する分離可能なトレイと，
前記トレイを実質的に水平な位置に保持するためのフレームと，
前記フレームに回転可能に取り付けられた１対の支持部品であって，前記トレイがその中に保持される時に前記支持部品のおのおのが複数個の溝にかけわたされ，前記支持部品のおのおのからの１つの電極が複数個の溝のおのおのと整合するように配置された複数個の電極を前記支持部品のおのおのが支持する前記１対の支持部品と，
その上のすべての電極が溝の中へ延びる第１位置とその上のすべての電極が溝から離れる第２位置との間で前記支持部品のおのおのを回転するための装置と，
１つの支持部品の電極と他の支持部品の電極との間に電位を加える装置に接続するための導電性の接続装置と，
を有する電気泳動装置。
【請求項７】
請求項６に記載された電気泳動装置であって，前記支持部品のおのおのが前記平行な溝を横断する方向に配した回転軸を有することを特徴とする電気泳動装置。
【請求項８】
請求項６または請求項７に記載された電気泳動装置であって，前記支持部品のおのおのを第１位置へ付勢するための装置を前記装置がさらに有することを特徴とする電気泳動装置。
【請求項９】
請求項６から請求項８のいずれかに記載された電気泳動装置であって，前記支持部品が前記フレームに回転可能に取り付けられかつまた相互に可変な距離に移動可能に取り付けられることを特徴とする電気泳動装置。
【請求項１０】
請求項６から請求項９のいずれかに記載された電気泳動装置であって，前記トレイを通して前記溝の温度を制御することが可能であるように前記トレイが熱伝達性の材料で作成されることを特徴とする電気泳動装置。
【請求項１１】
請求項１に記載された電気泳動装置であって，前記トレイが６個から１８個の溝を有しそして該溝が実質的に同じ長さでありそしてその長さが６ｃｍから２０ｃｍであることを特徴とする電気泳動装置。
【請求項１２】
請求項１から請求項１１のいずれかに記載された装置の中でマクロ分子に電気泳動を行ってマクロ分子を分離する方法。
【発明の詳細な説明】
【０００１】
（技術分野）
本発明は、電気泳動により、特に等電点電気泳動により、マクロ分子を分離する装置に関する。
【０００２】
（背景技術）
２次元（２Ｄ）電気泳動は、マクロ分子を純粋化するために並びに複雑なマクロ分子混合体を分離するために有用でかつ周知の分離技術である。この２次元電気泳動により、１次元または１方向における典型的な電気泳動による分離よりもはるかに高い分解能が得られることが多い。
【０００３】
２次元電気泳動では、２つの異なる条件の下でまたは２個の異なるパラメータに従って、すなわち第１方向では１つのパラメータに従って、また第１方向とは通常は垂直である第２方向では他のパラメータに従って、分離が実行される。第１の次元の分離は典型的には、細長い棒の形状のゲルまたはストリップの形状のゲルの中で、ゲルの長さに沿って起こるマクロ分子の移動および分離により実行される。ゲルの長さに沿ってマクロ分子が個々のゾーンにいったんグループ分けされると、このゲルが板状ゲル（slab gel）の１つの端部に沿って配置され、そして第１の（細長い）ゲルに垂直な方向にまたはそうでなければ横方向に両方のゲルを横切って電流が加えられる。このことにより、細長いゲルのそれぞれのゾーンから板状ゲルの中にマクロ分子が移動し、そしてそれぞれのゾーンの中でマクロ分子が分離する。
【０００４】
第１の次元の分離と第２の次元との分離に対して、種々の組み合わせを用いることができる。電荷またはｐＩに基づく分離に対して、例えば分子量に基づく分離を付随して行うことができる。同様に、１つの濃度のゲルの中の分離に対して、同じ材料であるがしかし別の濃度のゲルの中の分離を付随して行うことができる。最初に一様なゲルの中で次に細孔勾配ゲル（pore-gradient gel）の中で分離するために、あるいは最初に１つの蛋白質可溶体を含む媒体の中でそして次に別の蛋白質可溶体を含む媒体の中でまたは最初に１つの濃度の蛋白質可溶体を含む媒体の中でそして次に別の濃度の蛋白質可溶体を含む媒体の中で分離するために、あるいは最初に不連続な緩衝システムの中でそして次に連続な緩衝システムの中で分離するために、あるいは最初に等電点電気泳動によりそして次に一様または細孔勾配の電気泳動により分離するために、ｐＨの階段的変化を生ずるため２次元分離がまた用いられている。血清または細胞の蛋白質、細菌の蛋白質、非ヒストン・クロマチン蛋白質、リボゾーム蛋白質、リボ核蛋白質とリボゾーム蛋白質との混合体、糖蛋白質および核酸を含む多くの種類のマクロ分子を分離するために、このような組み合わせを用いることができる。
【０００５】
動けないｐＨ勾配体（ＩＰＧ（immobilised pH gradient））を動作させるのに適切な従来の装置には多くの困難や欠点がある。この装置の中でＩＰＧを再水和する可能性はない。市販されているシステムはすべて取り外し可能な電極を有し、したがって使用の際に不正確に配置されることがある。多くの電極は弾力を有しており、このことは良好でない電気的接触を生ずる可能性がある。利用可能な装置の寸法と構成のために、比較的に多量（〜２５０ｍＬ）のパラフィン油が必要である。このことは油を捨てる出費を生ずるだけでなく、また動作と動作の間におよび使用の後に強力な洗浄を行うことが必要である。最新のシステムの本来の設計のために、これらは比較的に大きな設置面積を有し、したがって使用の際には大量の作業台スペースが必要である。
【０００６】
２次元電気泳動システムのまた別の欠点は、作業がきつくそして時間がかかることである。細長いゲルは取り扱いにくく、そしてそれらを用いることはサンプルと時間に誤りや損失を生じやすい。本発明により、ＩＰＧを動作させるのに有用である新規な電気泳動装置が得られる。
【０００７】
（発明の開示）
本発明の第１の特徴として、複数個の成分混合体を電気泳動で同時に分離を行う電気泳動装置が得られる。この装置は、
前記装置から分離可能でかつ取り外し可能であり複数個の溝を形成するトレイであって、前記溝のおのおのが等電点電気泳動媒体の細長いストリップと前記細長いストリップを浸すのに十分な液体とを保持する形状を有する前記トレイと、
前記トレイを予め定められた位置に保持するためのフレームと、
前記トレイのそれぞれの端部にまたはその近くに配置されるのに適合した１対の電極であって、前記トレイのそれぞれの端部において前記電極のおのおのが複数個の溝のおのおのと整合している前記１対の電極と、
前記電極の間に電位を加える装置に接続するための導電性の接続装置と、
を有する。
【０００８】
１つの好ましい形態ではトレイに電極が設けられ、そしてこれらの電極は溝の中に配置されかつ導線の１つの端部に配置された電気端子を有する。このトレイがフレームの中に配置される時、これらの端子はその中に配置されたプラグに接続され、それにより導線の間に電位を加えることができる。
【０００９】
本発明の主要な利点は、トレイは使い捨てが可能であることである。ただし、もし必要ならばトレイを多数回使用するようにすることもできる。電極を備えた使い捨てトレイの場合、もしトレイを使用後に使い捨てるべきであるならば、グラファイトのように明らかに廉価な電極が白金のような電極よりも好ましいけれども、電気泳動と両立する適切な導電体材料はいずれも電極として用いることができる。
【００１０】
トレイを通して溝の温度を制御することができるために、トレイは熱を伝達する材料で作成されることが好ましい。１つの実施例では、トレイは３個から２４個、好ましくは６個から１８個の実質的に平行な溝を有する。これらの溝は同じ長さを有することが好ましく、そしてその長さは６ｃｍから２０ｃｍであることが好ましい。けれども、トレイは任意の数の溝を有することができ、そしてこれらの溝は適切な任意の長さおよび深さを有することができる。
【００１１】
本発明の第１の特徴に従う装置により複数個のトレイを積層することが可能であり、そして多数個の分離を同時に実行することができる。これらのトレイは装荷などのために取り外し可能であり、そして積層された多数個のトレイを水平に受け入れることができる適切なフレームに簡単に取り付けることができる。したがって、１個の電源を多数個のトレイに対して用いることができる。
【００１２】
またはそれとは異なって分離を同時に実行するために、トレイが取り付けられているフレームを備えた複数個の装置を積層することができる。
【００１３】
使用の際には、溝の中に配置された等電点電気泳動媒体の細長いストリップのおのおのに電位が加えられる。
【００１４】
導電性の接続装置は、電極を適切な電源に接続するために、電極に取り付けることができる導線であることができる。
【００１５】
関連した特徴に従い、本発明は複数個の成分混合体を電気泳動で同時に分離を行う電気泳動装置を有する。この装置は、
複数個の溝を有しそして前記溝のおのおのが等電点電気泳動媒体の細長いストリップと前記細長いストリップを浸すのに十分な液体とを保持する形状を有する取外し可能なトレイと、
前記トレイを実質的に水平な位置に保持するためのフレームと、
前記フレームに回転可能に取り付けられた１対の支持部品であって、前記トレイがその中に保持される時に前記支持部品のおのおのが複数個の溝にかけわたされ、前記支持部品のおのおのからの１つの電極が複数個の溝のおのおのと整合するように配置された複数個の電極を前記支持部品のおのおのが支持する前記１対の支持部品と、
その上のすべての電極が溝の中へ延びる第１の位置とその上のすべての電極が溝から離れる第２の位置との間で前記支持部品のおのおのを回転するための装置と、
１つの支持部品の電極と他の支持部品の電極との間に電位を加える装置に接続するための導電性の接続装置と、
を有する。
【００１６】
支持部品のおのおのは、平行な溝を横断する方向に配置された回転軸を有することが好ましい。この装置はさらに、支持部品のおのおのを第１の位置へ付勢するための装置を有することができる。これらの支持部品はまた、フレームに回転可能に取り付けられることに加えて、相互に可変な位置に移動可能にフレームに取り付けることができる。
【００１７】
トレイを通して溝の温度を制御することができるために、トレイは熱を伝達する材料で作成されることが好ましい。１つの形態では、トレイは３個から２４個、好ましくは６個から１８個、の実質的に平行な溝を有する。これらの溝の長さは同じであることが好ましく、そしてその長さは６ｃｍから２０ｃｍであることが好ましい。
【００１８】
導電性の接続装置は、電極を適切な電源に接続するために電極に取り付けることができる導線であることができる。
【００１９】
本発明の第３の特徴に従い、本発明の第１の特徴または第２の特徴に従う装置の中でマクロ分子に電気泳動を行ってマクロ分子を分離する方法が得られる。
【００２０】
本明細書の全体において、もし特に事情がない限り、「有する」という用語または「備える」というように変形された用語は、示されている１個の素子または複数個の素子の完成体または群、または複数個の完成体を含むことを意味するが、しかし１個の任意の他の素子または複数個の素子の完成体または群、または複数個の完成体を排除するものではないことが理解されるであろう。
【００２１】
本発明をさらに明確に理解するために、好ましい実施例を下記において添付図面を参照しながら説明する。
【００２２】
（発明を実施するための形態）
本発明は広い範囲の構成体、工程および実施例に適用することができるが、１つの特定の構造体およびその動作モードを詳細に調べることにより本発明を最もよく理解することができるであろう。このような構造体は添付図面に示されており、そしてその構成および使用法が下記で説明される。
【００２３】
図１の平面図にはトレイ１１が示されている。トレイ１１は、フレーム１２の内側に保持用ブロック１３により保持される。図２の横断面図にこのトレイが示されている。このトレイは平行な溝１４のアレイを有する。これらの溝のアレイを上から見た図が図１であり、そしてこれらの溝のアレイの横断面図が図２である。これらの溝のおのおのはトレイ１１の長さのほぼ全体に延長されており、そしてそれは十分に長くて単一の棒状のゲルすなわち単一のストリップ状のゲルを含むことができ、そして２次元電気泳動の第１の次元の分離として用いられることができる。その他の点ではこの長さは重要ではなく、そして種々の寸法のゲル・ストリップ体またはゲル棒状体を収容することができるようにこの長さを変えることができる。本発明の大部分の応用に対して適切である長さは、通常は約６ｃｍから約２０ｃｍの範囲内にある。これらの溝の長さは通常は同じである。これらの溝のおのおのの深さ、幅、間隔および横断面はまたそれ程重要ではなく、したがって変更することができる。大部分の応用に対して適切である深さは約０．３ｃｍから約３．０ｃｍの範囲内にある。同様に、適切な幅は約０．３ｃｍから約３．０ｃｍの範囲内にあり、そして中心間の適切な間隔距離は約０．５ｃｍから約３．５ｃｍの範囲内にある。図２には曲線の形状の横断面が示されているが、長方形ののような他の形状の横断面をもまた用いることができる。最後に、図１および図２には６個の溝を有するトレイが示されているが、しかし本発明は任意の数の溝を有するトレイに拡張することができる。大部分の応用に対しては、溝の適切な数は３個から２４個の範囲内であり、そして６個から１８個の範囲内であることが好ましい。
【００２４】
本発明の一定の実施例では、トレイ１１は１回だけ使用される使い捨て部材として設計される。溝の中に配置されるゲル・ストリップおよび液体の温度を制御することができるために、このトレイはまた熱伝達素子としての役割を果たすことが好ましい。したがってこのトレイは、トレイの下側で接触している加熱素子または熱吸収素子のような温度制御デバイスに対して、それぞれの溝の中におよびからの熱の伝達が可能であるように壁が十分に薄い、例えば熱成形プラスチック部品であることができる。温度制御デバイスは図面には示されていないけれども、フレーム１２の構造体の中に組み込むことができる。
【００２５】
１対のレール２１、２２がまたフレーム１２に取り付けられる。レール２１、２２はフレームの内部の長さにわたって配置され、そして相互に平行におよびトレイ１１の溝に平行に配置される。これらのレールのおのおのは導電体であり、そしてフレームの外部のバナナ・プラグ２３、２４または他のコネクタに電気的に接続される。１対の横断支持部品２５、２６が２個のレール２１、２２を横断して取り付けられる。この取り付けは縦方向には滑動可能にそして軸方向には回転可能な方式で行われる。支持部品のおのおのは、図１の矢印２７、２８の方向に縦方向にそして独立に滑動可能である。支持部品のおのおのは、図３の矢印２９、３０の方向にその軸のまわりに回転可能である。支持部品２５、２６の軸のまわりに回転を可能にしたまま、レール２１、２２に沿って選定された任意の位置にこれらの支持部品を固定するために、止めねじ３３、３４、３５、３６を締め付けることができる。それぞれの支持部品の回転は、オペレータがノブ３７、３８を手動で回転することにより実行される。支持部品のおのおのにはまたバネ（バネの１つ３９が図３に示されている）が取り付けられており、このバネにより支持部品が内側の位置に向かって付勢されるような力が加えられる。
【００２６】
回転可能な支持部品のおのおのに小さいフレーム４１、４２が取り付けられる。これらの小さいフレームのおのおのはそのそれぞれの支持部品が回転するとそれと一緒に回転する。トレイ１１の溝１４に対応するアレイの中に、これらの小さいフレームのおのおのから一連の電極４３（１つのフレームの電極が図２に示されている）が延長されている。トレイ１１が外側フレーム１２の中に配置されそして電極４３が低い位置にあるように小さいフレーム４１、４２が内側に回転される時、電極は溝と整合する。１つの導線がそれぞれの溝の中に延長されそしてその溝の中に含まれるゲル・ストリップまたはＩＰＧストリップと接触するように、電極の幅と電極の間隔距離が選定される。したがって、電極４３および電極がそれから延長されている支持棒４４は櫛の歯の形状であることができる。
【００２７】
溝の中に含まれるゲル・ストリップの両端に電位を加えるために、２個のアレイの電極のおのおのに２個の外部プラグ２３、２４の１つにより別々に供給が行われる。このことは、種々の方法のいずれかによって達成することができる。図面に示されている構成体では、レール２１、２２、回転可能なアーム２５、２６、小さいフレーム４１、４２および電極４３（櫛の歯）はすべて導電体である。回転可能な支持アーム２５、２６をレール２１、２２に連結する滑動ブロック４６、４７、４８、４９は非導電体である。導電性材料で作成された可動な取付け部品５０、５１が、２個の滑動ブロック３３、３６に取り付けられる。これらの取付け部品のおのおのは、矢印５２、５３で示された方向に滑動可能である。内側に（レールに対して横方向でフレームの中心軸に向けて）滑動する時、取付け部品はレール２１、２２と小さいフレームの突起部分５４、５５との両方と接触し、それによりレールのおのおのと小さいフレームの１つとの間に電気的接続が形成される。
【００２８】
これらの図面に示されそして前記で説明された構造体を種々の方法で変更することができる。例えば、外部導線をレール２１、２２よりはむしろ回転可能な支持アーム２５、２６に直接に取り付けることができ、またレールを非導電性の材料で作成することができる。回転可能な支持アーム２５、２６の回転は図３に示されている。図３では、実線は電極が溝の中に延長されている低い位置にある支持アームおよび電極を示しており、そして点線は電極２３が溝から離れた高い位置にある支持アームおよび電極を示している。この構成体を変更した１つの構成体は、回転可能な支持アーム２５、２６の回転軸がそれぞれの棒の１つの端部を通りそして棒それ自身に垂直である構成体である。垂直な軸のまわりの回転がまた予想される。適切でかつ均一な電気的接触を確実に得るために電極を溝の中に付勢することは、前記で説明したように、回転可能なアームにバネを取り付けることにより達成される。バネまたはそれと同等の装置を用いる代わりに、回転可能なアームの中に付勢用の重りを配置することにより重力を利用することも可能である。
【００２９】
これらの図面には示されていないけれども、電極が取り付けられている小さいフレーム４１、４２はまた、溝に対してサンプルの混合体を供給するためにそれぞれの溝と整合したサンプルの容器を保持することができる。溝の中に含まれるゲルおよび液体を保護するために、並びに露出した導線にオペレータが接触することを防止するために、この装置はまた蓋またはカバーを有することができる。さらに、トレー１１は、上から外側フレームの中に挿入することができ、あるいは側面の入口によって外側フレームの中の所定の位置に滑動させることができる。さらになお、保持用ブロック１３は、外側フレームに取り付けられた構造体によって置き換えられることができ、またトレーの位置を回転可能な支持アームに対して安定化させるという同様な目的を達成する任意の形状のフレームによって置き換えられることができる。さらになお、特にゲルが溝よりも短い時には、ゲルの正しい位置を確実に得るために、溝は取外し可能なピンまたは他の障壁体を有することができる。
【００３０】
構造的に異なる他の変更実施例が可能であることは、電気泳動装置の設計、構造および利用に関係する当業者にとって容易に理解することができるであろう。
【００３１】
本発明の装置は任意の形式のゲル・ストリップに対して用いることができるが、本発明は等電点電気泳動に対しその長さに沿って分布する動けない官能基を有するゲルに対して特に有用である。この動けない官能基はこの官能基の中に既に存在する電荷分布によってｐＨの勾配を形成するか、またはｐＨの勾配を形成するための帯電する能力を有する。またはそれとは異なって、ストリップ・マトリックスの中で動けないキャリア両性電解質によりｐＨの勾配を形成することができる。
【００３２】
動けない官能基を含有するストリップは電気泳動の従業者には周知であり、そして市販されている。このストリップは通常「ＩＰＧ（immobilised pH gradient（動けないｐＨ勾配））」ストリップと呼ばれ、そしてその例は米国特許第4,130,470号（ローゼングレン（Rosengren）ほか名で1978年12月19日に発行）に開示されている。この特許の内容は、参考として本発明の中に取り込まれている。マトリックスは小粒子材料、繊維材料または膜材料のような固体支持材料であることができ、またはそれがゲルであることができる。マトリックス材料の例は、ポリアクリルアミド（polyacrylamide）、セルローズ（cellulose）、アガローズ（agarose）、デキストラン（dextran）、ポリビニールアルコール（polyvinylalcohol）、デンプン（starch）、シリコン・ゲル（silicon gel）、アクリロイル・アミノ・エトキシル・エタノール（ＡＡＥＥ、acryloyl amino ethoxyl ethanol）およびスチレン・ジビニル・ベンゼン（styrene divinyl benzene）およびこれらの材料の組み合わせである。
【００３３】
正に帯電する基または正に帯電可能な基の例は、アミノ基および他の窒素含有基である。負に帯電する基または負に帯電可能な基の例は、カルボキシル酸基、スルホン酸基、ホウ酸基、ホスホン酸基または燐酸基、およびこれらの酸のエステルである。その他の例は当業者には容易に分かるであろう。マトリックスの上でこれらの基を動けなくすることは共有結合により達成することができ、または基の位置が確保され、そして電界の影響の下でまたはマトリックスを通して流体または溶質の移動によりそれらの移動が妨げられる、他の方法により達成することができる。帯電した基を重合ゲル・マトリックスの中に組み込む好ましい方法は、帯電したモノマまたは帯電した交差試剤をゲル・モノマと共重合する方法である。等電点電気泳動に対して適切である動けないｐＨ勾配を形成するために、基の濃度を単調に増大または減少する方式で変化させることが好ましい。
【００３４】
ゲルで作成されたＩＰＧストリップは、ゲルの次元保全性を確実に得るために裏当てを有することが多い。この裏当ては通常は、流体が浸透しなくそして非導電性の材料である。ＩＰＧストリップは乾燥した形状で提供されるのが通常であり、そして使用の前に再水和することが必要である。このことは、再水和剤としての役割を果たすサンプル溶液とストリップとを接触させることにより達成することが便利である。本発明の装置では、電極を溝の上に引き上げている間に、再水和を溝それ自身の中で実施することができる。裏当てを備えたＩＰＧストリップは、ゲル側面を下に向けて（すなわち、裏当てを上に向けて）最もよく再水和される。トレイの溝は十分に深いことが好ましく、それにより隣接するサンプル溶液から相互に汚染する危険を受けないで、ＩＰＧストリップのおのおのを異なるサンプル溶液と再水和することができる。いったん再水和されると、そのストリップをトレイから分離し、そして利用されるまで凍結保存することができる。
【００３５】
ＩＰＧストリップがいったん再水和されそして電気泳動が行われる温度で平衡に達すると、そのゲル側面を露出して電極と接触するためにストリップをひっくり返すことが好ましい。電位が裏当てを通して延長されることはないであろうことを考えれば、ゲルと電極との間の電気的接触のための補助装置を備えることにより、ストリップをひっくり返す必要をなくすることができる。このことを達成する１つの方法は、それぞれの端部にホールを有するそれぞれのストリップを備え、そして導電性の液体に浸された柔らかい紙またはそれと同等の吸湿性の材料の形状の芯をホールの上のストリップの頂部に配置する方法である。ストリップの中のこのホールは導電性の液体で満たされ、そして芯はホールを占有する液体（そしてしたがってストリップの下側のゲル）と電極との間の電気的接触を確実に得るであろう。
【００３６】
電気泳動の前に、電気泳動の期間中にゲルから湿気が蒸発するのを防止するために、ゲル・ストリップの上の溝の中の残りの空間をパラフィン油またはそれと同等の非導電性の液体で満たすことができる。電極がいったん所定の位置に配置されると、導線に電位が加えられ、そしてゲルのｐＨが溶質の等電点に等しいゲルの長さに沿った位置までそれぞれの溶質が移動する。いったん溶質がこのように分離されると、電位が取り去られ、そして電極を支持する支持アームが回転されて溝から取り去られる。次に、トレイがフレームから取り去られ、保護用パラフィン油が流出され、そしてゲル・ストリップが溝から取り去られる。またはそれとは異なって、２次元分離の第２段階に対して溝の中でゲル・ストリップを平衡させることができる。
【００３７】
図４は、本発明の１つの変更実施例の図である。この変更実施例では、使い捨てトレイ１１の中に永久的電極６０が組み込まれる。７０で全体的に示された装置は、トレイ１１を受け入れるためのフレームまたはホールダ８０と、図５に最もよく示されているように接触点８６において電極６０に接続される電極接続体８２とを有する。電源と接続するために、この電極接続体はプラグ８４に接続される。
【００３８】
図５は本発明のさらに別の実施例の図であって、フレーム９２の上に相互に積層されたセル９０を装置が備ている。セル９０のおのおのは装荷のために積層体から取り外し可能であり、そして電極接続体９４に単に差し込むことにより１個の電源を多数個のユニットに対して用いることができる。
【００３９】
本発明のこの装置は、トレイの挿入、パラフィン油の添加、電極を下げること、予め選定された時間の間電位を加えること、電極を上げることおよびトレイの取り出し、のすべてをプログラムされたシーケンスによって制御して、それ自身を十分によく自動化することができる。
【００４０】
前記で全体的に説明されたように、本発明の範囲内において多くの変更および／または修正が可能であることは当業者には容易に理解されるであろう。したがって、前記で説明された実施例はあらゆる点において例示のための実施例であって、本発明の範囲はこれらの実施例に限定されることを意味するものではないと考えなくてはならない。
【図面の簡単な説明】
【図１】  本発明の１つの実施例に従う装置の平面図である。
【図２】  図１の線２−２に沿って取られた、図１の装置のトレイと１個の導線との横断面図である。
【図３】  図１の線３−５に沿って取られた、図１の装置のトレイと導線支持部分との縦断面図である。
【図４】  本発明の第１の特徴に従う装置の分解概要図である。
【図５】  本発明の第１の特徴に従う装置の組立て概要図である。
【図６】  本発明のさらに別の変更実施例の図であって、垂直に積層された３個の電気泳動装置を備えた多重装置の横断面図である。
【図１】
0004362011.tif 000002
【図２】
0004362011.tif 000003
【図３】
0004362011.tif 000004
【図４】
0004362011.tif 000005
【図５】
0004362011.tif 000006
【図６】
0004362011.tif 000007